Podtech/llm-jp-corpus-v4-ja_patent huggingface dataset:
【手続補正書】
【提出日】平成19年10月15日(2007.10.15)
【手続補正１】
【補正対象書類名】明細書
【補正対象項目名】特許請求の範囲
【補正方法】変更
【補正の内容】
【特許請求の範囲】
【請求項１】  ベースプレートと、
全膝置換における大腿構成部分に、又は全膝蓋大腿部置換における滑車構成部分に係合するための前記ベースプレートに回転可能に取り付けられた関節支持面と、
を有する膝蓋骨インプラントにおいて、
前記膝蓋骨インプラントの前記関節支持面は、上関節面と下関節面とを有し、前記上下関節面は、大腿構成部分に、又は滑車構成分に係合するようになっている軸線凹面（３０）の両側の直線状の接合部に沿って配列された平滑な丸みのある輪郭（２４）を有し、前記平滑な丸みのある輪郭は、平坦部なしで前記接合部から前記関節支持面の底まで延びる、
ことを特徴とする膝蓋骨インプラント。
【請求項２】  ベースプレートはクロム−コバルト−モリブデン合金で作られ、関節支持面は、高密度ポリエチレンである、請求項１に記載の膝蓋骨インプラント。
【手続補正２】
【補正対象書類名】明細書
【補正対象項目名】００１２
【補正方法】変更
【補正の内容】
【００１２】
先行技術のＬＣＳ膝蓋骨支持体を図２Ａ及び図２Ｂに示す。図２Ａは、後面図、即ち関節面の図であり、図１Ｂは側面図である。膝蓋骨インプラント１１は、金属のベースプレート２２に取り付けられたプラスチックの支持体２１を有する。特に注目すべきは、鋭い、斜めの縁１７である。本発明の好ましい実施形態を、図３Ａ（後方図、即ち関節面の図）及び図３Ｂ（側面図）に示す。プラスチックの支持体２１を、金属のベースプレート２２上に示す。好ましい実施形態では、ベースプレートは、クロム−コバルト−モリブデン合金で作られ、支持体は、高密度ポリエチレン（high-density polyethylene（ＨＤＰＥ））で作られる。支持体の上寸法及び下寸法が増加させてある（２３）。全膝置換における大腿部構成部分に、又は全膝蓋大腿部弛緩における滑車構成部分に係合する関節支持面の鋭い斜めの上縁１７及び下縁１７は除去されている。その代わり、上下寸法が増加され、かつ、上関節支持面及び下関節支持面は、平滑な丸みのある輪郭を有するように作られられる。平滑な丸みのある輪郭は、膝蓋骨インプラントの大腿構成部分に、又は滑車構成分に係合する軸線凹面３０の両側の直線状の接合部に沿って配列される。平滑な丸みのある輪郭は、平坦部なしで接合部から関節支持面の底まで延びる。全ての補綴構成部分は、小から特大まで患者の様々な寸法に合わせるために様々な寸法で作られるから、追加した上寸法及び下寸法、及び丸みのある輪郭の曲率半径は、寸法に従って比例的に変化する。
【手続補正３】
【補正対象書類名】図面
【補正対象項目名】図３Ａ
【補正方法】変更
【補正の内容】
【図３Ａ】
2003527195.tif 000001
【手続補正４】
【補正対象書類名】図面
【補正対象項目名】図３Ｂ
【補正方法】変更
【補正の内容】
【図３Ｂ】
2003527195.tif 000002
【誤訳訂正書】
【提出日】平成19年7月23日(2007.7.23)
【誤訳訂正１】
【訂正対象書類名】明細書
【訂正対象項目名】００４４
【訂正方法】変更
【訂正の内容】
【００４４】
【化１２】
2003527374.tif 000001
一般式Ｉの立体化学的に純粋な化合物は、テトラヒドロイソキノリンの速度論的分割 [コロディ、ハーデガー、ヘルベチカ・キミカ・アクタ（Helv. Chim. Acta）、第39巻、第889頁−第897頁（1956年）]及びスキーム2に従って純粋エナンチオマーとアミドリンカーのカップリングにより得られる。更に、2-[(1S)-1-(3,4-ジメトキシベンジル)-6,7-ジメトキシ-3,4-ジヒドロ-1H-イソキノリン-2-イル]-N-[(1S)-インダン-1-イル]-アセトアミドも又、2つの2-[1[R,S]-(3,4-ジメトキシベンジル)-6,7-ジメトキシ-3,4-ジヒドロ-1H-イソキノリン-2-イル]]-N-[(1S)-インダン-1-イル]-アセトアミドのジアステレオアイソマー混合物のメタノールからの結晶化により得られる。
【誤訳訂正２】
【訂正対象書類名】明細書
【訂正対象項目名】０３２３
【訂正方法】変更
【訂正の内容】
【０３２３】
C. フェノールと臭化アルキル、塩化ヘテロアリール、ヘテロアリール-メチル-スルホン及び塩化カルバモイルとのカップリング
C.1 出発物質：ベンジルエーテルの脱保護：
パラジウム（10% Pd/C、wet, 274 mg）を、メタノール（60 mL）及びギ酸（11.0 mL）の混合液に添加した。各ベンジルエーテル（4.0 mmol）を少量に分けて添加し、その混合液を40時間攪拌した。この間、出発物質が消費されるまでPd/Cを更に添加した。混合液をろ過し、溶媒を真空下で除去した後、残渣をフラッシュ・クロマトグラフィーにより精製
し、以下のフェノールを得た。
【手続補正書】
【提出日】平成19年9月3日(2007.9.3)
【手続補正１】
【補正対象書類名】明細書
【補正対象項目名】特許請求の範囲
【補正方法】変更
【補正の内容】
【特許請求の範囲】
【請求項１】  式Ｉ〜ＸもしくはIA〜XA：
【化１】
2003527326.tif 000001
2003527326.tif 000002
2003527326.tif 000003
2003527326.tif 000004
のいずれかで示される化合物、または下記の反応式XI〜XVIもしくはXIA〜XVIA：
【化２】
2003527326.tif 000005
2003527326.tif 000006
2003527326.tif 000007
2003527326.tif 000008
2003527326.tif 000009
2003527326.tif 000010
で示される一つの反応生成物
〔上式中、ｋは、１〜１０の範囲であり；ｎは、１または２であり；ｍは、２〜６の範囲であり；
Ｅは、オキシル、ヒドロキシル、水素、アルキル、ヒドロキシル、オキソ、もしくはカルボキシルによって置換されたアルキル、酸素、−ＣＯＯ−、もしくは−ＯＣＯ−によって遮断されたアルキル、アルケニル、アルキニル、シクロアルキル、シクロアルケニル、ビシクロアルキル、アルコキシ、ヒドロキシル、オキソ、もしくはカルボキシルによって置換されたアルコキシ、酸素、−ＣＯＯ−、もしくは−ＯＣＯ−によって遮断されたアルコキシ、シクロアルコキシ、アルケニルオキシ、シクロアルケニルオキシ、アラルキル、アラルコキシ、アシル、ＲＣＯＯ−、ＲＯＣＯＯ−、ＲＮＣＯＯ−またはクロロであって、ここで、Ｒは、脂肪族もしくは芳香族部分であり、
ｎが１のとき、Ｒ1は、水素、１〜１８個の炭素原子を有するアルキル、２〜１８個の炭素原子を有するアルケニル、プロパルギル、グリシジル、１〜２０個の酸素原子によって遮断された、２〜５０個の炭素原子を有するアルキル、１〜１０個のヒドロキシル基によって置換されたか、もしくは前記酸素原子によって遮断され、かつ前記ヒドロキシル基によって置換された、２〜５０個の炭素原子を有するアルキルであるか、またはＲ1は、カルボキシル基、もしくは−ＣＯＯＺによって置換された、１〜４個の炭素原子を有するアルキルであって、ここで、Ｚは、水素、１〜４個の炭素原子を有するアルキル、もしくはフェニルであるか、またはＺは、（ＣＯＯ-）nＭn+（式中、ｎは、１〜３であり、Ｍは、周期律表の第１、２もしくは３族からの金属イオンであるか、もしくはＺｎ、Ｃｕ、ＮｉもしくはＣｏであるか、またはＭは、Ｒ2が水素、１〜８個の炭素原子を有するアルキル、もしくはベンジルである基Ｎn+（Ｒ2）4である）であるか、あるいは
ｎが２のとき、Ｒ1は、１〜１２個の炭素原子を有するアルキレン、４〜１２個の炭素原子を有するアルケニレン、キシリレン、または１〜２０個の酸素原子によって遮断されたか、もしくは１〜１０個のヒドロキシル基によって置換されたか、もしくは前記酸素原子によって遮断され、かつ前記ヒドロキシル基によって置換された、１〜５０個の炭素原子を有するアルキレンであり、
Ｘは、無機もしくは有機陰イオンであって、指数ｊは、式Ｉ〜VIA中ではＸの価数で除したｎに等しく、式VIIA〜XVIA中ではＸの価数で除した式中のアンモニウムイオンの数に等しく；そして
陽イオンの総電荷は、陰イオンの総電荷に等しい〕。
【請求項２】  パルプまたは紙の白色度の喪失を防ぎ、黄変耐性を強化する方法であって、
該パルプまたは紙を、請求項１記載の式Ｉ〜ＸもしくはIA〜XAのいずれかの化合物、または反応式XI〜XVIもしくはXIA〜XVIAのいずれかに定義された生成物の、安定化有効量で処理することを含む方法。
【手続補正書】
【提出日】平成19年8月15日(2007.8.15)
【手続補正１】
【補正対象書類名】明細書
【補正対象項目名】特許請求の範囲
【補正方法】変更
【補正の内容】
【特許請求の範囲】
【請求項１】  心血管の病態の予防に対する医薬品製造におけるレニン−アンギオテンシン系阻害剤またはその医薬的に許容される誘導体の使用。
【請求項２】  心血管の病態が心筋梗塞、狭心症の悪化または心停止である請求項１の使用。
【請求項３】  増大した心血管リスクを有する患者における請求項１または２の使用。
【請求項４】  顕性冠状動脈性心臓病、一過性虚血性発作若しくは卒中の病歴、または末梢血管疾患の病歴が心血管リスクの原因である請求項３の使用。
【請求項５】  糖尿病患者における心筋梗塞、卒中、心血管死、または顕性腎症の予防用医薬の製造におけるレニン−アンギオテンシン系阻害剤またはその医薬的に許容される誘導体の使用。
【請求項６】  心血管の病態、糖尿病または糖尿病の合併症の予防用医薬の製造において、他の抗高血圧薬、若しくはコレステロール低下薬、若しくは利尿薬またはアスピリンと組み合せたレニン−アンギオテンシン系阻害剤またはその医薬的に許容される誘導体の使用。
【請求項７】  心血管の病態が卒中、鬱血性心不全、心血管死、心筋梗塞、狭心症の悪化、心停止または血管移植処置である請求項６の使用。
【請求項８】  鬱血性心不全歴のない患者において、心血管の病態が鬱血性心不全である請求項６の使用。
【請求項９】  レニン−アンギオテンシン系阻害剤がアンギオテンシン変換酵素阻害剤、アンギオテンシンII拮抗薬、またはこれらのうちの何れかの医薬的に許容される誘導体である請求項１から８の何れかの使用。
【請求項１０】  アンギオテンシン変換酵素阻害剤がオマパトリラート、ＭＤＬ１００２４０、アラセプリル、ベナゼプリル、カプトプリル、シラザプリル、デラプリル、エナラプリル、エナラプリラット、フォシノプリル、フォシノプリラット、イミダプリル、リシノプリル、ペリンドプリル、キナプリル、ラミプリル、ラミプリラート、酢酸サララシン、テモカプリル、トランドラプリル、トランドラプリラート、セラナプリル、モエキシプリル、キナプリラットおよびスピラプリルまたはその医薬的に許容される誘導体である請求項９の使用。
【請求項１１】  アンギオテンシンII拮抗薬が酢酸サララシン、カンデサルタンシレクセチル、バルサルタン、カンデサルタン、ロサルタンカリウム、エプロサルタン、イルベサルタン、タソサルタン、若しくはテルミサルタンまたはその医薬的に許容される誘導体である請求項９の使用。
【請求項１２】  抗高血圧薬がカルシウムチャンネル遮断薬またはベータ遮断薬である請求項６、７または８の使用。
【請求項１３】  レニン−アンギオテンシン系阻害剤またはその医薬的に許容される誘導体およびコレステロール低下薬を含有する組み合せ剤。
【請求項１４】  レニン−アンギオテンシン系阻害剤がアンギオテンシン変換酵素阻害剤またはその医薬的に許容される誘導体であり、かつコレステロール低下薬がスタチンである請求項１３の組み合せ剤。
【請求項１５】  アンギオテンシン変換酵素阻害剤がオマパトリラート、ＭＤＬ１００２４０、アラセプリル、ベナゼプリル、カプトプリル、シラザプリル、デラプリル、エナラプリル、エナラプリラット、ホシノプリル、ホシノプリラット、イミダプリル、リシノプリル、ペリンドプリル、キナプリル、ラミプリル、ラミプリラート、酢酸サララシン、テモカプリル、トランドラプリル、トランドラプリラート、セラナプリル、モエキシプリル、キナプリラットおよびスピラプリルまたはその医薬的に許容される誘導体、並びにスタチンがロバスタチン、プラバスタチン、シムバスタチンおよびフルバスタチンまたはその医薬的に許容される誘導体である請求項１４の組み合せ剤。
【手続補正書】
【提出日】平成19年7月27日(2007.7.27)
【手続補正１】
【補正対象書類名】明細書
【補正対象項目名】特許請求の範囲
【補正方法】変更
【補正の内容】
【特許請求の範囲】
【請求項１】  ２−アミノ−Ｎ−［（１Ｒ）−２−［（３Ｒ）−３−ベンジル−３−（Ｎ，Ｎ’，Ｎ’−トリメチルヒドラジノカルボニル）ピペリジン−１−イル］−１−（１Ｈ−インドール−３−イルメチル）−２−オキソエチル］−２−メチルプロピオンアミド、または医薬的に許容されるその塩。
【化１】
2003527338.tif 000001
【請求項２】  医薬的に許容される担体または希釈剤と共に、活性成分として、請求項１記載の化合物を含んでいる医薬組成物。
【請求項３】  脳下垂体から成長ホルモンの放出を刺激するための請求項２記載の医薬組成物。
【請求項４】  動物の成長速度および成長程度を増大するため、動物のミルクやウールの産生を増大するため、または病気を治療するために、前記動物に投与する請求項２または請求項３記載による医薬組成物。
【請求項５】  請求項１記載の化合物または請求項２から請求項４のいずれか１項記載の医薬組成物の有効量を前記哺乳動物に投与することを含んでいる、哺乳動物脳下垂体から成長ホルモンの放出を刺激する方法。
【請求項６】  成長速度および成長程度を増大するため、ミルクやウールの産生を増大するため、または病気を治療するための方法において、請求項１記載の化合物または請求項２から請求項４のいずれか１項記載の医薬組成物の有効量を、必要とする対象に投与することを含んでいる方法。
【請求項７】  医薬剤の調製のための請求項１に記載の化合物またはその塩の使用。
【請求項８】  哺乳動物の脳下垂体からの成長ホルモンの放出を刺激するための医薬剤の調製のための請求項７に記載の使用。
【手続補正書】
【提出日】平成19年10月15日(2007.10.15)
【手続補正１】
【補正対象書類名】明細書
【補正対象項目名】特許請求の範囲
【補正方法】変更
【補正の内容】
【特許請求の範囲】
【請求項１】  軽度認知障害を有する患者を処置するための組成物であって、該組成物は、治療有効量のＩＩ型グルココルチコイドレセプターに特異的なアンタゴニストを含み、該組成物は、４５歳以上の年齢であり、かつ該年齢のヒト集団についての正常レベルのコルチソルを有する、軽度認知障害を有すると診断された患者への投与に適しており、該アンタゴニストの量は、認知障害を処置するために有効であり、ここで該患者は、以下の診断基準：
（ｉ）ホルステインミニメンタルステート試験の３回の投与において、該試験に対する少なくとも１つの完璧なスコアを得る；
（ｉｉ）臨床的痴呆評点付け検査に対して０．５の評点を受ける、そして
（ｉｉｉ）パラグラフ再生試験において、１．５の標準偏差またはそれ以下の年齢適合正常値および教育適合正常値をスコアする、
に合う、組成物。
【請求項２】  前記量のグルココルチコイドレセプターアンタゴニストが、記憶障害をさらに予防処置する、請求項１に記載の組成物。
【請求項３】  前記量のグルココルチコイドレセプターアンタゴニストが、パラグラフ再生試験に対する成績を改善する、請求項１に記載の組成物。
【請求項４】  前記グルココルチコイドレセプターアンタゴニストが、ステロイド骨格の１１−β位において少なくとも１つのフェニル含有部分を有する該ステロイド骨格を含む、請求項１に記載の組成物。
【請求項５】  前記ステロイド骨格の１１−β位におけるフェニル含有部分が、ジメチルアミノフェニル部分である、請求項４に記載の組成物。
【請求項６】  前記グルココルチコイドレセプターアンタゴニストが、ミフェプリストンを含む、請求項４に記載の組成物。
【請求項７】  前記グルココルチコイドレセプターアンタゴニストが１１−β−（４−ジメチル−アミノエトキシフェニル）−１７−α−（プロピニル−１７β−ヒドロキシ−４，９−エストラジエン−３−オン）および１７−β−ヒドロキシ−１７−α−１９−（４−メチル−フェニル）−アンドロスタ−４，９（１１）−ジエン−３−オン）からなる群より選択される、請求項４に記載の組成物。
【請求項８】  前記グルココルチコイドレセプターアンタゴニストが、毎日、一日あたり１ｋｇの体重あたり約０．５〜約２０ｍｇの間の量での投与に適している、請求項１に記載の組成物。
【請求項９】  前記グルココルチコイドレセプターアンタゴニストが、毎日、一日あたり１ｋｇの体重あたり約１〜約１０ｍｇの間の量での投与に適している、請求項８に記載の組成物。
【請求項１０】  前記グルココルチコイドレセプターアンタゴニストが、毎日、一日あたり１ｋｇの体重あたり約１〜約４ｍｇの間の量での投与に適している、請求項９に記載の組成物。
【請求項１１】  前記組成物が、一日あたり１回の投与に適している、請求項１に記載の組成物。
【請求項１２】  前記組成物が経口投与に適している、請求項１に記載の組成物。
【請求項１３】  前記組成物が、経皮適用によるか、噴霧懸濁液によるか、またはエアロゾルスプレーによる投与に適している、請求項１に記載の組成物。
【手続補正書】
【提出日】平成19年8月10日(2007.8.10)
【手続補正１】
【補正対象書類名】明細書
【補正対象項目名】特許請求の範囲
【補正方法】変更
【補正の内容】
【特許請求の範囲】
【請求項１】  注意不足機能亢進障害を罹患しているかまたはその出現に感受性のある患者の注意不足機能亢進障害を治療するための、該患者における注意不足機能亢進障害の症候を改善するかまたは予防するのに有効な量においてモダフィニル化合物を含有する、医薬組成物。
【請求項２】  多発性硬化症疲労を罹患している患者の多発性硬化症に伴う疲労を治療するための、該患者における多発性硬化症疲労の症候を改善するかまたは予防するのに有効な量においてモダフィニル化合物を含有する、医薬組成物。
【請求項３】  注意不足機能亢進障害または多発性硬化症疲労の症候を罹患している患者を治療するための、患者の脳の結節性乳頭ニューロンにおける活性を刺激するのに有効な量においてモダフィニル化合物を含有する、医薬組成物。
【請求項４】  注意不足機能亢進障害の出現に感受性であるか、または罹患している患者において、注意不足機能亢進障害を治療することに使用するための単位用量形態における製薬学的組成物であって、
その１個以上の単位用量が、周期的な投与により該患者における注意不足機能亢進障害の症候を安定化するか、または改善するのに有効であるようなモダフィニル化合物の量：
を含有する組成物。
【請求項５】  多発性硬化症患者における疲労を治療することに使用するための単位用量形態における製薬学的組成物であって、
その１個以上の単位用量が、周期的な投与により該患者における多発性硬化症疲労の症候を安定化するか、または改善するのに有効であるようなモダフィニル化合物の量：
を含有する組成物。
【請求項６】  該モダフィニル化合物がモダフィニルである、請求項１−３のいずれかの組成物。
【請求項７】  該患者が成人である、請求項１−３のいずれかの組成物。
【請求項８】  該患者がヒト小児である、請求項１−３のいずれかの組成物。
【請求項９】  該有効量が、１日用量当たり約１〜約４００ｍｇである、請求項１−３のいずれかの組成物。
【請求項１０】  該有効量が、１日用量当たり約１００〜約４００ｍｇである、請求項１−３のいずれかの組成物。
【請求項１１】  該有効量が、１日用量当たり約２００〜約４００ｍｇである、請求項１−３のいずれかの組成物。
【請求項１２】  該有効量が、１日用量当たり約２００ｍｇである、請求項１−３のいずれかの組成物。
【請求項１３】  モダフィニル化合物を含有する該組成物が、経口投与のために製剤化される、請求項１−３のいずれかの組成物。
【請求項１４】  モダフィニル化合物を含有する該組成物が、錠剤として製剤化される、請求項１−３のいずれかの組成物。
【請求項１５】  該錠剤が、乳糖、コーンスターチ、ケイ酸マグネシウム、クロスカルメロースナトリウム、ポビドン、ステアリン酸マグネシウム、またはいずれかの組み合わせ物におけるタルクを含有する、請求項１４の組成物。
【請求項１６】  該モダフィニル化合物がモダフィニルである、請求項４または５の組成物。
【請求項１７】  該患者が成人であるか、またはヒト小児である、請求項４または５の組成物。
【請求項１８】  該有効量が、１日用量当たり約１〜約４００ｍｇである、請求項４または５の組成物。
【請求項１９】  該有効量が、１日用量当たり約１００〜約４００ｍｇである、請求項４または５の組成物。
【請求項２０】  該有効量が、１日用量当たり約２００〜約４００ｍｇである、請求項４または５の組成物。
【請求項２１】  該有効量が、１日用量当たり約２００ｍｇである、請求項４または５の組成物。
【請求項２２】  モダフィニル化合物を含有する該組成物が、経口投与のために製剤化される、請求項４または５の組成物。
【請求項２３】  モダフィニル化合物を含有する該組成物が、錠剤として製剤化される、請求項４または５の組成物。
【請求項２４】  該錠剤が、乳糖、コーンスターチ、ケイ酸マグネシウム、クロスカルメロースナトリウム、ポビドン、ステアリン酸マグネシウム、またはいずれかの組み合わせ物におけるタルクを含有する、請求項４または５の組成物。
【請求項２５】  注意不足機能亢進障害に対して治療されている哺乳動物に投薬するためか、または投薬に使用するための治療用包装であって、
（１）単位用量が、周期的投与により該哺乳動物における注意不足機能亢進障害の症候を安定化させるか、または改善するために有効であるようなモダフィニル化合物の量を含有し、そして該単位用量が周期的に投与される、該１個以上の単位用量；および
（２）該単位用量を含有し、そして該哺乳動物の治療における包装の使用を指示するラベルを付している、それのための完成した製薬学的容器：
を含む、包装。
【請求項２６】  単位用量が経口投与用に適合される、請求項２５記載の治療用包装。
【請求項２７】  多発性硬化症疲労に対して治療されている哺乳動物に投薬するためか、または投薬に使用するための治療用包装であって、
（１）単位用量が、周期的投与により該哺乳動物における多発性硬化症疲労の症候を安定化させるか、または改善するために有効であるようなモダフィニル化合物の量を含有し、そして該単位用量が周期的に投与される、該１個以上の単位用量；および
（２）該単位用量を含有し、そして該哺乳動物の治療における包装の使用を指示するラベルを付している、それのための完成した製薬学的容器：
を含む、包装。
【請求項２８】  単位用量が経口投与用に適合される、請求項２７記載の治療用包装。
【請求項２９】  後部視床下部の結節性乳頭核の活性を選択的にモジュレートする化合物を同定する方法であって、
（ａ）結節性乳頭核を試験化合物と接触させ；そして
（ｂ）該核のニューロンの活性における変化がモジュレーターの指標である、該結節性乳頭核の活性を決定すること：
の段階を含む、方法。
【請求項３０】  該活性が該ニューロンにおけるｃ−ｆｏｓレベルをモニターすることによって決定される、請求項２９の方法。
【請求項３１】  請求項２９の方法によって同定される化合物。
【請求項３２】  請求項３１の化合物の有効量を含む、過度の白昼の眠気、注意不足／機能亢進障害、または多発性硬化症に伴う疲労を罹患しているか、またはそれに感受性である該患者を治療するための、医薬組成物。
【手続補正書】
【提出日】平成19年6月29日(2007.6.29)
【手続補正１】
【補正対象書類名】明細書
【補正対象項目名】特許請求の範囲
【補正方法】変更
【補正の内容】
【特許請求の範囲】
【請求項１】  高密度でクラックのないモノリシックアルファ−アルミナ物品の製造方法であって：
実質的にアルミニウムアルコキシド、アルファ−アルミナ粉末、水およびしゃく解剤から成る溶液を型の中で注型し；
上記注型溶液を約２５〜４０℃の範囲内の温度および約７５〜９５％の範囲内の湿度を有する制御された環境中で乾燥して乾燥ゲルを生成させ；そして
上記乾燥ゲルを焼結して高密度でクラックのないモノリシックアルファ−アルミナ物品を製造する
工程を含む上記の方法。
【請求項２】  乾燥の際に使用される型が、ポリメチルペンテン（PMP）、ペルフルオロアルコキシ樹脂（PFA）、フッ素化エチレンプロピレン共重合体（FEP）およびポリテトラフルオロエチレン重合体（PTFE）より成る群から選ばれる材料を含む、請求項１記載の方法。
【請求項３】  乾燥の際に使用される型が、ポリメチルペンテン（PMP）、ペルフルオロアルコキシ樹脂（PFA）、フッ素化エチレンプロピレン共重合体（FEP）およびポリテトラフルオロエチレン重合体（PTFE）より成る群から選ばれる材料から形成されたインナーライナーを有する、請求項１記載の方法。
【請求項４】  焼結が約１０００〜約１４００℃の範囲内の温度で行われる、請求項１記載の方法。
【請求項５】  焼結が約３〜約１２時間の範囲内の期間行われる、請求項４記載の方法。
【請求項６】  注型が型に離型剤を前もって適用することを含む、請求項１記載の方法。
【請求項７】  注型中に型に前もって適用される離型剤がシリコーン離型剤である、請求項６記載の方法。
【請求項８】  注型および乾燥が同一の型を用いて行われる、請求項１記載の方法。
【請求項９】  方法がアルミナの粒子を団結させる中間プロセス工程を含まない、請求項１記載の方法。
【請求項１０】  注型の際に使用されるアルミニウムアルコキシドがアルミニウムsec-ブトキシドであり；そして注型の際に使用されるしゃく解剤が硝酸である、請求項１記載の方法。
【請求項１１】  高密度でクラックのないモノリシックアルファ−アルミナ物品の製造方法であって：
実質的にアルミニウムアルコキシド、アルファ−アルミナ粉末、水およびしゃく解剤から成る溶液を注型し；
上記注型溶液を制御された環境中で乾燥して乾燥ゲルを生成させ；
ここで、注型および乾燥は、共に、ポリメチルペンテン（PMP）、ペルフルオロアルコキシ樹脂（PFA）、フッ素化エチレンプロピレン共重合体（FEP）およびポリテトラフルオロエチレン重合体（PTFE）より成る群から選ばれる材料を含む型を用いて行われ；そして
上記乾燥ゲルを焼結して高密度でクラックのないモノリシックアルファ−アルミナ物品を製造する
工程を含む上記の方法。
【請求項１２】  注型および乾燥の際に使用される型が、ポリメチルペンテン（PMP）、ペルフルオロアルコキシ樹脂（PFA）、フッ素化エチレンプロピレン共重合体（FEP）およびポリテトラフルオロエチレン重合体（PTFE）より成る群から選ばれる材料から形成されたインナーライナーを有する、請求項１１記載の方法。
【請求項１３】  乾燥中に存在する制御された環境が約２５〜４０℃の範囲内の温度および約７５〜９５％の範囲内の湿度を有し；そして
焼結が約１０００〜約１４００℃の範囲内の温度で約３〜１２時間の期間行われる、請求項１１記載の方法。
【請求項１４】  注型が型にシリコーン離型剤を前もって適用することを含む、請求項１１記載の方法。
【請求項１５】  方法がアルミナの粒子を団結させる中間プロセス工程を含まない、請求項１１記載の方法。
【請求項１６】  注型の際に使用されるアルミニウムアルコキシドがアルミニウムsec-ブトキシドであり；そして注型の際に使用されるしゃく解剤が硝酸である、請求項１１記載の方法。
【手続補正書】
【提出日】平成19年9月11日(2007.9.11)
【手続補正１】
【補正対象書類名】明細書
【補正対象項目名】特許請求の範囲
【補正方法】変更
【補正の内容】
【特許請求の範囲】
【請求項１】  組換え異種ポリペプチドの安定かつ高収量の発現のための方法であって、該方法は、宿主細胞において融合ポリペプチドをコードする組換え核酸分子を発現する工程を包含し、該融合ポリペプチドは、Ｒａ１２ポリペプチドおよび異種ポリペプチドを含み、ここで、該Ｒａ１２ポリペプチドは、配列番号３に相補的な配列にストリンジェントな条件下でハイブリダイズするＲａ１２ポリヌクレオチド配列によってコードされ、該Ｒａ１２ポリヌクレオチド配列は、該異種ポリペプチドをコードする異種ポリヌクレオチド配列の５’側に位置する、方法。
【請求項２】  前記融合ポリペプチドが、該融合ポリペプチドに連結されたアフィニティタグをさらに含む、請求項１に記載の方法。
【請求項３】  前記融合ポリペプチドが、前記宿主細胞より精製される、請求項１または請求項２に記載の方法。
【請求項４】  前記宿主細胞がＥ．ｃｏｌｉである、請求項１〜請求項３のいずれか１項に記載の方法。
【請求項５】  前記組換え核酸分子が、前記Ｒａ１２ポリヌクレオチド配列と前記異種ポリヌクレオチド配列との間にリンカーペプチドをコードするポリヌクレオチド配列をさらに含む、請求項１〜請求項４のいずれか１項に記載の方法。
【請求項６】  前記リンカーペプチドが切断部位を含む、請求項５に記載の方法。
【請求項７】  前記異種核酸配列が、ＤＰＰＤ、ＷＴ１、ママグロビン、またはＨ９−３２Ａポリペプチドをコードする、請求項１に記載の方法。
【請求項８】  前記Ｒａ１２ポリヌクレオチド配列が、少なくとも３０ヌクレオチドを含む、請求項１〜請求項７のいずれか１項に記載の方法。
【請求項９】  前記Ｒａ１２ポリヌクレオチド配列が、少なくとも６０ヌクレオチドを含む、請求項８に記載の方法。
【請求項１０】  前記Ｒａ１２ポリヌクレオチド配列が、少なくとも１００ヌクレオチドを含む、請求項８に記載の方法。
【請求項１１】  前記Ｒａ１２ポリヌクレオチド配列が、配列番号１７に示されるＲａ１２ポリペプチドをコードする、請求項１〜請求項１０のいずれか１項に記載の方法。
【請求項１２】  前記Ｒａ１２ポリヌクレオチド配列が、配列番号１８に示されるＲａ１２ポリペプチドをコードする、請求項１〜請求項１０のいずれか１項に記載の方法。
【請求項１３】  前記Ｒａ１２ポリヌクレオチド配列が、配列番号３に示されるとおりである、請求項１〜請求項１０のいずれか１項に記載の方法。
【請求項１４】  前記Ｒａ１２ポリヌクレオチド配列が、配列番号１４に示されるＲａ１２ポリペプチドまたはそれに対して少なくとも９０％のアミノ酸配列同一性を有する改変体をコードする、請求項１〜請求項１０のいずれか１項に記載の方法。
【請求項１５】  前記Ｒａ１２ポリヌクレオチド配列が、配列番号１４に示されるＲａ１２ポリペプチドまたはそれに対して少なくとも９５％のアミノ酸配列同一性を有する改変体をコードする、請求項１４に記載の方法。
【請求項１６】  前記Ｒａ１２ポリペプチドが、少なくとも１０アミノ酸を含む、請求項１〜請求項７のいずれか１項に記載の方法。
【請求項１７】  前記Ｒａ１２ポリペプチドが、少なくとも３０アミノ酸を含む、請求項１６に記載の方法。
【請求項１８】  前記Ｒａ１２ポリペプチドが、少なくとも１００アミノ酸を含む、請求項１６に記載の方法。
【請求項１９】  前記Ｒａ１２ポリペプチドが、配列番号４に示される配列を有する、請求項１〜請求項７のいずれか１項に記載の方法。
【請求項２０】  前記Ｒａ１２ポリペプチドが、配列番号１７に示される配列を有する、請求項１〜請求項７のいずれか１項に記載の方法。
【請求項２１】  前記Ｒａ１２ポリペプチドが、配列番号１８に示される配列を有する、請求項１〜請求項７のいずれか１項に記載の方法。
【請求項２２】  前記方法が、前記Ｒａ１２ポリペプチドと前記異種ポリペプチドとの間で前記融合ポリペプチドを切断する工程をさらに包含する、請求項１〜請求項２１のいずれか１項に記載の方法。
【請求項２３】  組換え異種ポリペプチドの安定かつ高収量の発現のための方法における、配列番号３に相補的な配列にストリンジェントな条件下でハイブリダイズするＲａ１２ポリヌクレオチド配列の使用であって、該方法は、宿主細胞において融合ポリペプチドをコードする組換え核酸分子を発現する工程を包含し、該融合ポリペプチドは、該Ｒａ１２ポリヌクレオチドによってコードされるＲａ１２ポリペプチドおよび異種ポリペプチドを含み、該Ｒａ１２ポリヌクレオチド配列は、該異種ポリペプチドをコードする異種ポリヌクレオチド配列の５’側に位置する、使用。
【手続補正書】
【提出日】平成19年2月21日(2007.2.21)
【手続補正１】
【補正対象書類名】明細書
【補正対象項目名】特許請求の範囲
【補正方法】変更
【補正の内容】
【特許請求の範囲】
【請求項１】
前面と背面とを備える本体と、
該本体の前面の締付領域と、
前記圧縮要素の前面の前記締付領域の両側に配置される第一接合領域および第二接合領域であって、該第一接合領域および第二接合領域の各々が少なくとも１つのエネルギディレクタを備える第一接合領域および第二接合領域と、
前記要素本体の前面の第一チャネルおよび第二チャネルであって、該第一チャネルが前記第一接合領域と前記締付領域との間に配置され、前記第二チャネルが前記第二接合領域と前記締付領域との間に配置される第一チャネルおよび第二チャネルと、
を備えることを特徴とする圧縮要素。
【請求項２】
前記第一接合領域および第二接合領域の前記エネルギディレクタが、前記圧縮要素の前面に沿って伸長されていることを特徴とする、請求項１記載の圧縮要素。
【請求項３】
前記エネルギディレクタが互いに平行に配向されていることを特徴とする、請求項２記載の圧縮要素。
【請求項４】
本体の前面のフラットな締付領域であって、対向する第一側面及び第二側面を前面に備える締付領域と、
前記締付領域の第一側面で本体の前面から突出する少なくとも一つの超音波エネルギディレクタと、
前記締付領域の第二側面で本体の前面から突出する少なくとも一つの超音波エネルギディレクタと、
を備えることを特徴とする圧縮要素。
【請求項５】
締付領域の第一側面にある少なくとも一つの超音波エネルギディレクタと締付領域との間に配置された第一チャネルと、
締付領域の第二側面にある少なくとも一つの超音波エネルギディレクタと締付領域との間に配置された第二チャネルと、
をさらに備えることを特徴とする、請求項４記載の圧縮要素。
【請求項６】
第一主面および第二主面を有する可撓性基体と、
該基体の第一主面の圧縮要素であって、該圧縮要素の前面の締付領域と、該締付領域の両側に配置されると共に前記基体の第一主面に接合される、前記圧縮要素の前面の第一接合領域および第二接合領域と、前記基体の第一主面と前記圧縮要素の締付領域との間に配置されて、前記可撓性基体と前記締付領域との間で圧縮される少なくとも１つの物品とを備える圧縮要素と、
を備えることを特徴とする保持アセンブリ。
【請求項７】
前記基体が、繊維状ポリマ物品を備えることを特徴とする、請求項６記載の保持アセンブリ。
【請求項８】
前記基体が、不織布の繊維状ポリマ呼吸器本体を備えることを特徴とする、請求項６記載の保持アセンブリ。
【請求項９】
前面と背面とを備える本体と、
該本体の前面の締付領域と、
該締付領域の第一側面に配置される、該本体の前面の第一接合領域と、
該締付領域の第二側面に配置される、該本体の前面の第二接合領域と、を備える圧縮要素を準備するステップと、
前記物品を前記可撓性基体表面に配置するステップと、
前記第一接合領域および第二接合領域を前記物品の両側に配置して、前記圧縮要素の締付領域を前記物品上に配置するステップと、
前記圧縮要素の締付領域と前記可撓性基体との間で前記物品を圧縮するステップと、
前記物品を圧縮しつつ前記第一接合領域および第二接合領域を前記可撓性基体に取り付けるステップであって、前記圧縮要素が前記第一接合領域および第二接合領域で前記可撓性基体に取り付けられ、また前記物品が前記締付領域と前記可撓性基体との間に保持され、前記圧縮要素が前記可撓性基体を貫通しない取り付けステップと、
を備える、可撓性基体に保持された物品を含むアセンブリを作製する方法。
【請求項１０】
前記基体が、繊維状ポリマ呼吸器本体を備えることを特徴とする、請求項９記載の方法。
【手続補正書】
【提出日】平成19年9月20日(2007.9.20)
【手続補正１】
【補正対象書類名】明細書
【補正対象項目名】００５９
【補正方法】変更
【補正の内容】
【００５９】
広域集合群内での消費者の必要量は、消費者ごとおよび建造物ごとに異なる。エネルギーの節約を必要とし、エネルギーコストを節約するために高い区域最大デルタ温度を実行するユーザもあれば、快適性を向上させるため、低い区域最大デルタ温度を実行する消費者もある。集合された消費者に対して需要および消費に関する公平な請求書作成を与えるために、以下の請求書作成式を使用する。
消費者１需要請求金額＝（ｋＷＡ１／(ΣｋＷＡＮ)）＊ｋＷ＄＋（（（ＭＺＤＴＡＶＧＡ／ＭＺＤＴＡＶＧ１）＊ｋＷＡ１／Σ（ＭＺＤＴＡＶＧＡ／ＭＺＤＴＡＶＧＮ）＊ｋＷＡＮ）＊Ｐ＄
消費者１消費請求金額＝（ｋＷＨＡ１／ΣｋＷＨＡＮ）＊ｋＷＨ＄
式中、ｋＷＡ１は、集合群の１消費者である消費者１の、請求期間内のピークにおける需要量である。
ｋＷＡＮは、集合群の１消費者である消費者Ｎの、請求期間内のピークにおける需要量である。
ｋＷ＄は、集合群に関して前もって購入した需要容量のコストである。
ｋＷＨＡ１は、集合群の１消費者である消費者１の、集合群への請求期間全体にわたる消費量である。
ｋＷＨＡＮは、集合群の１消費者である消費者Ｎの、集合群への請求期間全体にわたる消費量である。
ｋＷＨ＄は、集合群の電力消費料金である。
ＡＺは、区域（Ｚ）の面積（平方フィート）である。
ＡＣＴＣＮは、ＣＴＣシステムの面積（平方フィート）である。
ＭＺＤＴＡＶＧＮは、集合群の料金請求期間中のピークにおけるＣＴＣシステム当たりの最大区域デルタ温度（ＭＺＤＴ）の平均値である。ＭＺＤＴは、より大きな区域に対する重みづけをより大きくし、該区域が平均値により大きく影響するように重みづけされている。
Ｐ＄は、集合群について前もって購入した需要容量を超過した際に使用する、集合群に対するペナルティコストである。
【手続補正２】
【補正対象書類名】明細書
【補正対象項目名】００６１
【補正方法】変更
【補正の内容】
【００６１】
全体としての集合群が、前もって購入した需要容量に達しない場合、需要請求料金は、（ｋＷＡ１／ΣｋＷＡＮ）＊ｋＷ＄により計算する。全体としての集合群が、前もって購入した需要容量を超過した場合、集合群のＭＺＤＴの平均値を下回る消費者は、（（（ＭＺＤＴＡＶＧＡ／ＭＺＤＴＡＶＧ１）＊ｋＷＡ１）／Σ（ＭＺＤＴＡＶＧＡ／ＭＺＤＴＡＶＧＮ）＊ｋＷＡＮ）＊Ｐ＄により計算されるペナルティコストのより大きな部分を受け入れる。
【手続補正書】
【提出日】平成19年10月1日(2007.10.1)
【手続補正１】
【補正対象書類名】明細書
【補正対象項目名】特許請求の範囲
【補正方法】変更
【補正の内容】
【特許請求の範囲】
【請求項１】  複数のヒト抗体を産生するために発現されうる複数のヒト免疫グロブリン遺伝子をゲノムに含むトランスジェニック非ヒト動物を提供する段階；
トランスジェニック非ヒト動物のリンパ細胞からヒト抗体鎖をコードする核酸集団を単離する段階；および
ライブラリーメンバーが抗体鎖をコードする核酸を含み、抗体鎖がパッケージからディスプレイされる、抗体鎖をディスプレイするディスプレイパッケージのライブラリーを作製する段階、
標的にライブラリーメンバーを接触させる段階であって、それにより標的に特異的な親和性を持つ抗体鎖および結合パートナー（存在するならば）をディスプレイするライブラリーメンバーが標的に結合し、ディスプレイパッケージの亜集団を作製する段階
を含み、ここでディスプレイパッケージの亜集団が、少なくとも10個の抗体鎖をコードする少なくとも10個の核酸を含む、少なくとも10個の異なるディスプレイパッケージを含み、核酸の少なくとも50％が、結合パートナー（存在するならば）と共に標的に対して少なくとも108M-1の親和性を示すヒト抗体鎖をコードし、ライブラリーの50％以上を構成するライブラリーメンバーが存在しない、
ヒト抗体ディスプレイライブラリーの産生方法。
【請求項２】  トランスジェニック動物は、ヒトに存在するヒト免疫グロブリン遺伝子の全数を含んでいない、請求項１記載の方法であって、該方法は、プライマーのセットを用いて核酸の集団を増幅する工程をさらに含み、該プライマーは、ヒト免疫グロブリン遺伝子の全数からのどのヒト免疫グロブリン遺伝子がトランスジェニックマウスのゲノムに存在するかに基づいて選択される、方法。
【請求項３】  単離段階の前に、IgG抗体を発現するリンパ細胞が濃縮された、単離リンパ細胞の亜集団を調製する段階をさらに含み、亜集団が、IgG抗体のFc領域に結合する試薬と単離リンパ細胞を接触させることによって調製される、請求項1記載の方法。
【請求項４】  単離段階が、一方がIgG重鎖をコードするDNAに特異的なプライマーのペアを用いたPCR増幅を含む、請求項1記載の方法。
【請求項５】  リンパ細胞が、免疫原に対する陰性対照の10倍を上回る力価に発展せずに免疫原で免疫化された、トランスジェニック非ヒト動物に由来する、請求項1記載の方法。
【請求項６】  リンパ細胞が、免疫原に対して検出可能な力価に発展せずに免疫原で免疫化された、トランスジェニック非ヒト動物に由来する、請求項1記載の方法。
【請求項７】  ヒト抗体鎖の少なくとも90％がIgGアイソタイプを有する、請求項2記載の方法。
【請求項８】  抗体鎖が、少なくともいくつかのライブラリーメンバー中で、Fab断片を形成するためのパートナーのヒト軽鎖またはヒト重鎖をそれぞれ含む結合パートナーと結合する、重鎖または軽鎖を含む、請求項1記載の方法。
【請求項９】  抗原でトランスジェニック非ヒト動物を免疫化する段階をさらに含む、請求項1記載の方法。
【請求項１０】  動物を過免疫化する段階をさらに含む、請求項９記載の方法。
【請求項１１】  異なるライブラリーメンバー間でタグが同一である、抗体鎖をコードする核酸に結合したタグをコードする核酸セグメントを、ライブラリーメンバーがさらに含み、タグに特異的な親和性を持つ受容体をライブラリーメンバーに接触させる段階、および固定化した受容体に結合するライブラリーメンバーの亜集団を単離する段階をさらに含む、請求項1記載の方法。
【請求項１２】  ライブラリーメンバーのさらなる亜集団由来の抗体鎖をコードする核酸を、ひとまとめに複数コピーの発現ベクターにサブクローニングして、改変された発現ベクターを形成させる段階、および改変された発現ベクターを宿主細胞中で発現させ、ヒト抗体鎖のライブラリーを作製する段階をさらに含む、請求項１１記載の方法。
【請求項１３】  ライブラリー中のセグメントの少なくとも90％が同一の標的に対するヒト抗体鎖をコードし、ライブラリーの50％を上回るライブラリーメンバーは存在せず、ライブラリーがヒトλ軽鎖をコードするセグメントを含まない、ヒト抗体鎖をコードする少なくとも10個の異なる核酸セグメントのライブラリー。
【請求項１４】  ライブラリー中のセグメントの少なくとも90％が同一の標的に対するヒト抗体鎖をコードし、ライブラリーの50％を上回るライブラリーメンバーは存在せず、各セグメントがヒトHVおよび/またはヒトHL遺伝子の亜配列（subseqemce(s)）を含み、40以下のヒトVH遺伝子および40以下のヒトVL遺伝子しかライブラリーには含まれない、ヒト抗体鎖をコードする少なくとも1000個の異なる核酸セグメントのライブラリー。
【請求項１５】  ライブラリー中のヒト抗体の種類の少なくとも50％が同一の標的に対して少なくとも1010M-1の親和性を持ち、ライブラリーの25％を上回るライブラリーメンバーの種類は存在しない、少なくとも10種類のヒト抗体のライブラリー。
【請求項１６】  複数のヒト抗体を産生するために発現されうる複数のヒト免疫グロブリン遺伝子をゲノムに含むトランスジェニック非ヒト動物に、タンパク質免疫原をコードする核酸を導入する段階；
トランスジェニック非ヒト動物のリンパ細胞からヒト抗体鎖をコードする核酸集団を単離する段階；および
ライブラリーメンバーが抗体鎖をコードする核酸を含み、抗体鎖がパッケージからディスプレイされる、抗体鎖をディスプレイするディスプレイパッケージのライブラリーを作製する段階
を含む、ヒト抗体ディスプレイライブラリーの産生方法。
【請求項１７】  それにより第2の集団の抗体鎖と、第1の集団の抗体鎖が、標的において異なるエピトープ結合プロファイルを持つ、以下の段階を含む、抗体集団の調製方法：
ライブラリーメンバーが抗体をコードする核酸を含み、標的に対する結合のためにパッケージから抗体鎖がディスプレイされて標的に特異的に結合する抗体鎖をディスプレイするディスプレイパッケージの第1の集団が単離される、抗体をディスプレイするディスプレイパッケージの第1のライブラリーをスクリーニングする段階；および
ライブラリーメンバーが抗体をコードする核酸を含み、標的への結合のためにパッケージから抗体鎖がディスプレイされ、スクリーニングがディスプレイパッケージの第1の集団からディスプレイされる抗体の存在下で行われて、標的に特異的に結合する抗体鎖をディスプレイするディスプレイパッケージの第2の集団を生成する、抗体をディスプレイするディスプレイパッケージの第2のライブラリーをスクリーニングする段階。
【手続補正書】
【提出日】平成19年7月17日(2007.7.17)
【手続補正１】
【補正対象書類名】明細書
【補正対象項目名】特許請求の範囲
【補正方法】変更
【補正の内容】
【特許請求の範囲】
【請求項１】
（ａ）ＳＥＱ ＩＤ ＮＯ：１のヌクレオチド配列、 （ｂ）ヌクレオチド６５番からヌクレオチド６０１番までのＳＥＱ ＩＤ ＮＯ：１のヌクレオチド配列、 （ｃ）受託番号ＡＴＣＣ２０７２３１で寄託されたクローンｈＧＩＬ−１９／ＡＥ２８９の完全長タンパク質コーディング配列のヌクレオチド配列、 （ｄ）受託番号ＡＴＣＣ２０７２３１で寄託されたクローンｈＧＩＬ−１９／ＡＥ２８９のｃＤＮＡインサートにコードされた完全長タンパク質をコードするヌクレオチド配列、 （ｅ）受託番号ＡＴＣＣ２０７２３１で寄託されたクローンｈＧＩＬ−１９／ＡＥ２８９の成熟タンパク質コーディング配列のヌクレオチド配列、 （ｆ）受託番号ＡＴＣＣ２０７２３１で寄託されたクローンｈＧＩＬ−１９／ＡＥ２８９のｃＤＮＡインサートにコードされた成熟タンパク質をコードするヌクレオチド配列、 （ｇ）ＳＥＱ ＩＤ ＮＯ：２のアミノ酸配列を含んで成るタンパク質をコードするヌクレオチド配列、 （ｈ）ＳＥＱ ＩＤ ＮＯ：２のアミノ酸配列の一フラグメントを含んで成るタンパク質をコードするヌクレオチド配列であって、前記フラグメントが、ＳＥＱ ＩＤ ＮＯ：２の連続した３０個のアミノ酸を含んで成る、ヌクレオチド配列、 （ｉ）（ａ）から（ｆ）に明示したポリヌクレオチドのいずれか一つに、少なくとも、６５℃の４倍のＳＳＣ、又は、４２℃の４倍のＳＳＣのいずれかに５０％のホルムアミドを加えるといった緊縮な条件下でハイブリダイズするポリヌクレオチドのヌクレオチド配列、（ｊ）（ａ）から（ｆ）に明示したポリヌクレオチドのいずれか一つに、少なくとも、５０℃の４倍のＳＳＣ、又は、４０℃の６倍のＳＳＣのいずれかに５０％のホルムアミドを加えるといった緊縮な条件下でハイブリダイズすると共に、ＳＥＱ ＩＤ ＮＯ：１の長さの少なくとも２５％の長さを有するポリヌクレオチドのヌクレオチド配列、及び（ｋ）ＳＥＱ ＩＤ ＮＯ：２のアミノ酸３４−１７９のアミノ酸配列を含むたんぱく質をコードするヌクレオチド配列、からなる群のうちのいずれかから選択されるヌクレオチド配列を含んで成る、単離ポリヌクレオチド。
【請求項２】
前記ポリヌクレオチドが、機能可能なよう、少なくとも一つの発現制御配列に連結されている、請求項１に記載のポリヌクレオチド。
【請求項３】
請求項２に記載のポリヌクレオチドで形質転換させたホスト細胞。
【請求項４】
前記細胞がほ乳類細胞である、請求項３に記載のホスト細胞。
【請求項５】
請求項２に記載のポリヌクレオチドにコードされたタンパク質を生成するプロセスであって、 （ａ）請求項２に記載のポリヌクレオチドで形質転換させたホスト細胞の培養物を、適した培地で成長させるステップと、 （ｂ）前記タンパク質を前記培養物から精製するステップとを含む、プロセス。
【請求項６】
請求項５に記載のプロセスに基づいて生成されたたんぱく質。
【請求項７】
請求項６に記載のタンパク質をコードする単離ポリヌクレオチド。
【請求項８】
前記ポリヌクレオチドが、受託番号ＡＴＣＣ２０７２３１で寄託されたクローンｈＧＩＬ−１９／ＡＥ２８９のｃＤＮＡインサートを含んで成る、請求項７に記載のポリヌクレオチド。
【請求項９】
（ａ）ＳＥＱ ＩＤ ＮＯ：２のアミノ酸配列、 （ｂ）ＳＥＱ ＩＤ ＮＯ：２のアミノ酸配列の一フラグメントであって、ＳＥＱ ＩＤ ＮＯ：２の連続した３０個のアミノ酸を含んで成る、フラグメント、（ｃ） 受託番号ＡＴＣＣ２０７２３１で寄託されたクローンｈＧＩＬ−１９／ＡＥ２８９のｃＤＮＡインサートにコードされたアミノ酸配列、及び（ｄ）ＳＥＱ ＩＤ ＮＯ：２のアミノ酸３４−１７９のアミノ酸配列、からなる群のうちのいずれかから選択されるアミノ酸配列を含んで成る、単離されたタンパク質。
【請求項１０】
前記タンパク質が、ＳＥＱ ＩＤ ＮＯ：２のアミノ酸配列を含んで成る、請求項９に記載のタンパク質。
【請求項１１】
請求項９に記載のタンパク質と、薬学的に容認可能な担体とを含んで成る組成物。
【請求項１２】
前記ポリヌクレオチドが、ＳＥＱ ＩＤ ＮＯ：１のヌクレオチド配列を含んで成る、請求項１に記載のポリヌクレオチド。
【請求項１３】
前記ポリヌクレオチドが、ヌクレオチド６５番からヌクレオチド６０１番までのＳＥＱ ＩＤ ＮＯ：１のヌクレオチド配列を含んで成る、請求項１に記載のポリヌクレオチド。
【請求項１４】
前記ポリヌクレオチドが、受託番号ＡＴＣＣ２０７２３１で寄託されたクローンｈＧＩＬ−１９／ＡＥ２８９の完全長タンパク質コーディング配列のヌクレオチド配列を含んで成る、請求項１に記載のポリヌクレオチド。
【請求項１５】
前記ポリヌクレオチドが、受託番号ＡＴＣＣ２０７２３１で寄託されたクローンｈＧＩＬ−１９／ＡＥ２８９のｃＤＮＡインサートにコードされた完全長タンパク質をコードする、請求項１に記載のポリヌクレオチド。
【請求項１６】
前記ポリヌクレオチドが、受託番号ＡＴＣＣ２０７２３１で寄託されたｈＧＩＬ−１９／ＡＥ２８９の成熟タンパク質コーディング配列のヌクレオチド配列を含んで成る、請求項１に記載のポリヌクレオチド。
【請求項１７】
前記ポリヌクレオチドが、受託番号ＡＴＣＣ２０７２３１で寄託されたクローンｈＧＩＬ−１９／ＡＥ２８９のｃＤＮＡインサートにコードされた成熟タンパク質をコードする、請求項１に記載のポリヌクレオチド。
【請求項１８】
前記ポリヌクレオチドが、ＳＥＱ ＩＤ ＮＯ：２のアミノ酸配列を含んで成るタンパク質をコードする、請求項１に記載のポリヌクレオチド。
【請求項１９】
前記ポリヌクレオチドが、ＳＥＱ ＩＤ ＮＯ：２のアミノ酸配列の一フラグメントであって、ＳＥＱ ＩＤ ＮＯ：２の連続した３０個のアミノ酸を含んで成る、フラグメント、を含んで成るタンパク質をコードする、請求項１に記載のポリヌクレオチド。
【請求項２０】
前記タンパク質が、ＳＥＱ ＩＤ ＮＯ：２のアミノ酸配列の一フラグメントであって、ＳＥＱ ＩＤ ＮＯ：２の連続した３０個のアミノ酸を含んで成る、フラグメント、を含んで成る、請求項９に記載のタンパク質。
【請求項２１】
前記タンパク質が、受託番号ＡＴＣＣ２０７２３１で寄託されたクローンｈＧＩＬ−１９／ＡＥ２８９のｃＤＮＡインサートにコードされたアミノ酸配列を含んで成る、請求項９に記載のタンパク質。
【請求項２２】
請求項９に記載のタンパク質に結合する抗体又はそのフラグメント。
【請求項２３】
中和化抗体である、請求項２２に記載の抗体。
【請求項２４】
モノクローナル抗体、ポリクローナル抗体、キメラ抗体、一本鎖抗体、CDR移植抗体及びヒト化抗体から成る群より選択される、請求項２２に記載の抗体。
【請求項２５】
ヒト抗体である、請求項２２に記載の抗体。
【請求項２６】
モノクローナル抗体である、請求項２４又は２５に記載の抗体。
【請求項２７】
前記たんぱく質が、アミノ酸３４から１７０までの、ＳＥＱ ＩＤ ＮＯ：２のアミノ酸配列を含む、請求項９に記載のたんぱく質。
【請求項２８】
請求項２０に記載のたんぱく質を担体分子に結合させて含む融合たんぱく質。
【請求項２９】
前記担体分子が免疫グロブリン又は免疫グロブリンのFc部分である、請求項２８に記載の融合たんぱく質。